(57)【要約】【課題】宅配業者等が、所望の時に、短時間、容易に駐車できる駐車場管理システムを提供する。【解決手段】駐車場管理システムは、ネットワークに接続された所定の管理サーバに対して携帯端末を用いて携帯端末の近くの駐車スペースを通知可能である。携帯端末は、ＧＰＳ装置のような位置検出装置を含み、管理サーバに対して、自分の位置情報とともに入庫情報を送信する「入庫」ボタン２３と、管理サーバから、駐車スペースに関するデータを受信する受信部と、管理サーバに対して自分が駐車している駐車スペースから出庫する旨を送信する「出庫」ボタン２６とを含む。管理サーバは、携帯端末からの入庫情報および出庫情報に基づいて駐車スペースの管理を行う。【選択図】図３
2008059309.tif 000002
【特許請求の範囲】
【請求項１】
ネットワークに接続された所定の管理サーバに対して携帯端末を用いて前記携帯端末の近くの駐車スペースを表示可能な駐車場管理システムであって、
前記携帯端末は、位置検出装置を含み、前記管理サーバに対して、自分の位置情報とともに入庫情報を出力する入庫ボタンと、前記管理サーバから、駐車スペースに関するデータを受信する受信部と、前記管理サーバに対して自分が駐車している駐車スペースから出庫する出庫情報を出力する出庫ボタンとを含み、
前記管理サーバは、前記携帯端末からの前記入庫情報および出庫情報に基づいて駐車スペースの管理を行う、駐車場管理システム。
【請求項２】
前記携帯端末は車ごとに１台設けられる、請求項１に記載の駐車場管理システム。
【請求項３】
前記管理サーバは、前記入庫情報に応じて駐車した車の駐車時間を管理する駐車時間管理部を含み、前記車の駐車時間が所定の時間を超えると警報を対応する前記携帯端末に通知する、請求項２に記載の駐車場管理システム。
【請求項４】
ネットワークに接続された所定の管理サーバに対して入庫情報を通知する携帯端末であって、
位置検出装置と、
前記管理サーバに対して、自分の位置情報とともに前記入庫情報を出力する入庫ボタンと、前記管理サーバから、駐車スペースに関するデータを受信する受信部と、
前記管理サーバに対して自分が駐車している駐車スペースから出庫する情報を出力する出庫ボタンとを含む、携帯端末。
【請求項５】
前記入庫および出庫ボタンは所定の表示部に表示され、
前記入庫情報を出力する前は、前記出庫ボタンは表示されず、前記入庫情報の出力後は、前記入庫ボタンは表示されないように前記表示部を制御する制御手段を含む、請求項４に記載の携帯端末。
【請求項６】
ネットワークに接続された携帯端末からの入庫要求に応じて前記携帯端末の近くの駐車スペースを表示可能な駐車場管理用の管理サーバであって、
前記携帯端末は、位置検出装置を含み、
前記携帯端末からの、前記位置情報を含む入庫情報を受信する受信手段と、
前記受信手段によって受信した入庫情報に応じて、データベースを更新する、管理サーバ。
【発明の詳細な説明】
【技術分野】
【０００１】
この発明は、駐車場管理システム、携帯端末および管理サーバに関し、特に宅配便等の配送業務において使用できる駐車場管理システム、携帯端末および管理サーバに関する。
【背景技術】
【０００２】
従来の、駐車場管理システムが、たとえば、特開２００６−７９５５７号公報（特許文献１）に開示されている。特許文献１によれば、通信ネットワークを介して通信可能に接続された携帯電話と予約サーバと駐車場サーバとを備え、駐車場サーバは、ユーザ車両のＥＴＣ車載機を識別可能なＷＣＮ（ワイヤレスコール番号）と、ユーザの希望する日時とを少なくとも含む予約情報と、駐車場内の所定日時ごとの空き情報とを記憶する記憶手段を有している。携帯電話から予約サーバを介して駐車場サーバとの間で、予約情報および空き情報が通信ネットワークにより送受信されて入庫の予約管理が行なわれている。
【特許文献１】特開２００６−７９５５７号公報（要約）
【発明の開示】
【発明が解決しようとする課題】
【０００３】
従来の駐車場管理システムは上記のように構成されていた。携帯電話で駐車場の予約が可能であったが、予め予約をしておかないと利用できないという問題があった。一方、宅配業者等においては、荷物の配送に一時的にある場所に短時間駐車したい場合がある。このような場合に、従来は特に問題なく駐車が行われていた。しかしながら、近年、駐車の規制が強化され、たとえ宅配業者といえども、また、短時間であっても、駐車場を確保する必要がでてきた。
【０００４】
この発明は、上記のような問題点に着目してなされたもので、たとえば、宅配業者等のドライバが、所望の時に、短時間、簡単に駐車場を利用できる駐車場管理システム、携帯端末および管理サーバシステムを提供することを目的とする。
【課題を解決するための手段】
【０００５】
この発明は、ネットワークに接続された所定の管理サーバに対して携帯端末を用いて携帯端末の近くの駐車スペースを表示可能な駐車場管理システムである。携帯端末は、位置検出装置を含み、管理サーバに対して、自分の位置情報とともに入庫情報を出力する入庫ボタンと、管理サーバから、駐車スペースに関するデータを受信する受信部と、管理サーバに対して自分が駐車している駐車スペースから出庫情報を出力する出庫ボタンとを含み、管理サーバは、携帯端末からの入庫情報および出庫情報に基づいて駐車スペースの管理を行う。
【０００６】
なお、ここで、入庫情報とは、駐車を要求するための情報であって、例えば運送会社、車両番号、入庫時刻、入出庫区分、携帯端末固有番号などを含んでもよい。
【０００７】
携帯端末は、管理サーバに対して、自分の位置情報とともに入・出庫情報を送信するため、簡単な操作で駐車スペースを利用可能な、駐車場管理システムを提供できる。
【０００８】
好ましくは、携帯端末は車ごとに１台設けられる。
【０００９】
さらに好ましくは、管理サーバは、駐車した車の駐車時間を管理する駐車時間管理部を含み、車の駐車時間が所定の時間を超えるとメールまたは自動応答の音声による警報を該当する携帯端末に通知する。
【００１０】
なお、駐車時間管理部は、プログラムであってもよい。
【００１１】
この発明の他の局面においては、ネットワークに接続された所定の管理サーバに対して入庫情報を通知する携帯端末は、位置検出装置と、管理サーバに対して、自分の位置情報とともに入庫情報を出力する入庫ボタンと、管理サーバから、駐車スペースに関するデータを受信する受信部と、管理サーバに対して自分が駐車している駐車スペースから出庫する情報を出力する出庫ボタンとを含む。
【００１２】
好ましくは、入庫および出庫ボタンは所定の表示部に表示され、入庫情報を出力する前は、出庫ボタンは表示されず、入庫情報の出力後は入庫ボタンが表示されないように表示部を制御する制御手段を含む。
【００１３】
この発明のさらに他の局面は、ネットワークに接続された携帯端末からの入庫要求に応じて携帯端末の近くの駐車スペースを表示可能な駐車場管理用の管理サーバに関する。管理サーバは、携帯端末からの、位置情報を含む入庫情報を受信する受信手段と、受信手段によって受信した入庫情報に応じて、データベースを更新する。
【発明を実施するための最良の形態】
【００１４】
以下、この発明の実施の形態を図面を参照して説明する。図１はこの発明の一実施の形態にかかる駐車場管理システムの全体構成を示すブロック図である。ここでは、宅配業者のような運送業者が利用する場合について説明する。図１を参照して、この実施の形態に係る駐車場管理システムは、管理センター１０に設けられ、駐車場データベース１２を有する管理サーバ１１と、運送業者の個々のドライバが有する携帯端末２０とを含み、これらが相互にインターネット３０のようなネットワークを介して接続されている。管理サーバ１１は、予め契約等で定められた複数の駐車場を管理する。携帯端末２０は、車１台ごとに設けられている。なお、携帯端末２０には、携帯端末２０の位置を認識する位置検出装置としてのＧＰＳ装置２９が内蔵されている。
【００１５】
図２は、管理サーバ１１に設けられた駐車場データベース１２の一例を示す図である。図２を参照して、駐車場データベース１２は、複数の駐車場名と、それぞれの駐車場の位置（緯度、経度）と、それぞれの駐車場の駐車場番号と、そこに駐車している車輌の番号と、その入庫時間とを含む。駐車場番号において、車輌番号が入力されていないものが空きスペースとなる。この空きスペース情報は、リアルタイムで管理され、たとえば、５分ごとに自動更新される。
【００１６】
図３は、携帯端末２０の画面表示例を示す図であり、図４は、携帯端末２０と管理サーバ１１との制御部の動作を説明するフローチャートである。図３（Ａ）は初期画面であり、図３（Ｂ）は図３（Ａ）において、「ようこそ」ボタンを押した場合に表示される画面である。図３（Ｃ）は入庫中の表示画面であり、図３（Ｄ）は図３（Ｂ）において「状況」ボタンを押した場合の表示画面を示す図である。図３および図４を参照して、車を駐車する場合の処理について説明する。
【００１７】
図３（Ａ）を参照して、通常は、携帯端末２０の表示画面２１には「ようこそ」と表示されたボタン２２が表示されている。ドライバが自分の配送先で駐車場に駐車しようとするときは、このボタン２２を押す。すると、表示画面２１は、図３（Ｂ）に示すように変化して、「入庫」ボタン２３と、「状況」ボタン２４と、「呼出」ボタン２５とが表示される。ここで、ドライバは止めたい駐車場で駐車スペースがあるか確認するために「状況」ボタン２４を押して入庫要求を出力（送信）する（図４ステップＳ１１、以下ステップを省略する）。ここで、「状況」ボタン２４が押されると、携帯端末２０は、自分の位置をＧＰＳ装置２９から読み取って、その位置情報と共に、入庫情報を管理サーバ１１に送信する。管理サーバ１１は送信された情報をもとに、ＧＰＳ装置２９からの位置情報と管理サーバ１１内に登録されている駐車場の位置データを照合して、データベース１２を参照して、空き駐車スペースがあるか否かの判断を行う（Ｓ３１）。ある場合は駐車スペースを携帯端末２０に指示し（Ｓ３２）、ない場合は、どのくらいの時間で空きスペースが生じるかもしくは近くの別の駐車場に空きスペースがあるかの通知を行う（Ｓ３３）。
【００１８】
携帯端末２０は、駐車スペースがある旨の通知を受けたときは（Ｓ１２でＹＥＳ）、「駐車可の表示」を行い（Ｓ１３）、ドライバは駐車をする。駐車後、ドライバは「入庫」ボタン２３を押す。携帯端末２０は、これを検知すると（Ｓ１６でＹＥＳ）、画面表示を図３（Ｃ）に示すように変更する（Ｓ１７）。
【００１９】
駐車スペースがないという通知を受けたときは（Ｓ１２でＮＯ）、ドライバは「呼出」ボタン２５を押し、管理センター１０に電話で管理センター１０の管理者に問い合わせを行い、他の駐車場の情報等を聞き、指示を仰ぎ、指示のあった最寄りの駐車場に移動する（Ｓ１５）。
【００２０】
なお、このような問合せを管理サーバ１１に行って、管理サーバ１１から、メールまたは音声ガイドによって自動的に情報を得るようにしてもよい。この場合の携帯端末２０における表示例を図３（Ｄ）に示す。これによりドライバは別の車両が出庫されるまで待機し、空きスペースができれば駐車を行う。または、空きスペースのある駐車場に移動する。
【００２１】
このようにしてドライバが「入庫」ボタン２３を押すと、その旨の信号は管理サーバ１１に送信される。
【００２２】
管理サーバ１１は、この信号を受けて、該当の駐車場データのエリアに車両番号と入庫時刻を記録することによりデータベース１２を更新する（Ｓ３４）。
【００２３】
この駐車場管理システムは、基本的に、宅配業者等が短時間の駐車をするためのシステムであるので、管理サーバ１１は駐車場への入庫後の経過時間を計測し（Ｓ３５、Ｓ３６）、例えば予め定められた利用時間の５分前になると図５（Ａ）のような「残り５分」といったような予告メールが携帯端末２０に送信される（Ｓ３７）。さらに予定時間をオーバーした場合は図５（Ｂ）に示す利用時間オーバーのメールが送信されて、長時間にわたって駐車場を占有することのないように迅速な行動を要求する警告を行い、トラブル発生の防止を図る。
【００２４】
配送が終了して、ドライバが出庫するときは、図３（Ｃ）の表示画面において、「出庫」ボタン２６を押す（Ｓ１８）。すると、携帯端末２０から管理サーバ１１に対して出庫情報・車両情報が送信される。管理サーバ１１は、出庫時刻を記録して、データベース１２を更新する（Ｓ３９）。
【００２５】
何らかのトラブルで出庫できないときは（Ｓ１９でＮＯ）、ドライバは図３（Ｃ）の表示画面上の「呼出」ボタン２７を押して管理センター１０の管理人に連絡し、携帯端末２０へ連絡するように要請し、指示を受ける。
【００２６】
以上のように、この実施の形態においては、入庫時には、携帯端末２０を用いて「入庫」ボタン２３を押すだけで、その位置情報も合わせて管理サーバ１１に送信されるため、ドライバは簡単に自分の駐車を要求する情報を送信できる。
【００２７】
また、携帯端末２０の表示画面には、入庫情報を送信する前は、「出庫」ボタン２６は表示されず、入庫情報の送信後は「入庫」ボタン２３は表示されないように、図示のない制御部で制御するため、ドライバは、簡単に自分の入・出庫の情報の送信ができる。なお、ここで、制御部は、入庫情報を送信する前は、「入庫」ボタン２３のみを表示し、入庫情報の送信後は「出庫」ボタン２６のみを表示するように制御してもよい。
【００２８】
なお、図６は、管理サーバ１１のディスプレイに表示された駐車場情報を示す図である。図６に示すように、具体的な地図と、駐車場の位置情報およびその駐車場における空きスペースの数がグラフィックユーザインターフェイスで表示される。
【００２９】
したがって、管理サーバ１１においても、ドライバからの要求に対して、迅速且つ誤りの無い対処が可能である。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３１】
【図１】この発明にかかる駐車場管理システムの全体構成を示すブロック図である。
【図２】管理サーバの有する駐車場データベースの一例を示す図である。
【図３】携帯端末の表示画面を示す図である。
【図４】携帯端末と管理サーバと制御部が行う動作を示すフローチャートである。
【図５】管理センターから送信される警告メールを示す図である。
【図６】管理サーバのディスプレイに表示される駐車場の空きスペース情報を示す図である。
【符号の説明】
【００３２】
１０  管理センター、１１  管理サーバ、１２  データベース、２０  携帯端末、２１表示画面、２２  「ようこそ」と表示されたボタン、２３  入庫ボタン、２４ 状況ボタン、２５  呼出ボタン、２９  ＧＰＳ装置、３０  インターネット。
【図１】
2008059309.tif 000003
【図２】
2008059309.tif 000004
【図３】
2008059309.tif 000005
【図４】
2008059309.tif 000006
【図５】
2008059309.tif 000007
【図６】
2008059309.tif 000008